(57)【要約】【課題】乗員が水面から簡単に乗船することでき、さらに乗員の邪魔になることがなく、加えて部品点数を減らすことができる小型水上艇を提供する。【解決手段】小型水上艇１０は、艇体１１上面を構成するデッキ２０の中央に前後に延びるシート２１を設け、このシート２１の後方で、かつデッキ２０の後端部２０ａに略水平な平坦部２２を設けるとともに、平坦部２２の前端２２ａから前方に向けて上り勾配に斜面部２４を形成し、斜面部２４の前端２４ａに、艇体１１の後方から手６２を延ばして指６３を掛けることのできる指掛け溝２６を一体形成したものである。【選択図】　　　　図２
2004098908.tif 000002
【特許請求の範囲】
【請求項１】
艇体上面を構成するデッキの中央に前後に延びるシートを設け、このシートの後方で、かつデッキの後端部に略水平な平坦部を設けるとともに、平坦部の前端から前方に向けて上り勾配に斜面部を形成し、斜面部の前端に、艇体の後方から手を延ばして指を掛けることのできる指掛け溝を一体形成したことを特徴とする小型水上艇。
【請求項２】
前記指掛け溝の底面のレベルを前記平坦部と同一もしくは高くし、かつ指掛け溝の両端から左右側の斜め溝部を平坦部まで延長することで指掛け溝に溜まる水を平坦部まで流すように構成したことを特徴とする請求項１記載の小型水上艇。
【請求項３】
前記斜面部と前記シートとの間にカバーを取り付け、
このカバーを斜面部と略面一とするとともに、斜面部と略同じ傾斜に形成し、
このカバーの下方の部位に前記デッキの下方空間へ通じる開口を設けたことを特徴とする請求項１記載の小型水上艇。
【発明の詳細な説明】
【０００１】
【発明の属する技術分野】
本発明は、乗員が水面から乗船する際に、乗員の指を掛ける指掛け部を艇体に設けた小型水上艇に関する。
【０００２】
【従来の技術】
乗員が水面から小型水上艇に乗船する際に手を掛ける段部や手掛けが知られている（例えば、特許文献１参照。）。
【０００３】
【特許文献１】
特許第２８４９５７８号公報（第２頁、図２）
【０００４】
以上の特許文献１を図面を参照の上、詳しく説明する。
図８は従来の小型水上艇を示す側面図である。小型水上艇１００には、乗員１０１が水面１０２から乗船できるように、小型水上艇１００後部のシート１０３近傍に段部１０４を備えるとともに、小型水上艇１００側部で、かつシート１０３近傍の立壁１０５に手掛け１０６を備える。
【０００５】
乗員１０１が水面１０２から小型水上艇１００に乗船する際には、左手１０８を延ばして段部１０４に掛けるとともに、右手１０９を延ばして手掛け１０６に掛ける。乗員１０１は、手掛け１０６を手掛かりにして身体を水面１０２から持ち上げて、小型水上艇１００に乗船することができる。
【０００６】
【発明が解決しようとする課題】
しかし、従来の小型水上艇１００では、段部１０４をシート１０３の近傍に備えたので、段部１０４の位置が水面１０２ａから高くなりすぎる。また、手掛け１０６を小型水上艇１００側部でシート１０３近傍に備えたので、手掛け１０６の位置が乗員１０１から遠くなりすぎる。
【０００７】
よって、乗員１０１が水面１０２から左右の手１０８，１０９を延ばしても段部１０４や手掛け１０６に左右の手１０８，１０９が届き難い。乗員１０１は段部１０４や手掛け１０６に左右の手１０８，１０９を簡単に掛けることができないので、乗員１０１は小型水上艇１００に簡単に乗船することができない。
【０００８】
さらに、手掛け１０６をデッキ１００ａの上方に取り付けたので、乗員１０１がデッキ１００ａ上を移動するときに手掛け１０６が乗員１０１の邪魔になることがある。
加えて、小型水上艇１００の立壁１０５に手掛け１０６を設けるためには、手掛け１０６を単体で形成し、この手掛け１０６を立壁１０５の取付開口（図示せず）にセットした後、手掛け１０６をビス４５で立壁１０５に取り付ける。
このように、手掛け１０６を立壁１０５とは別部材で構成するので、部品点数が多くなる。さらに、部品点数が多くなるので製造工程が煩雑になり、生産性を高める妨げになる。
【０００９】
そこで、本発明の目的は、乗員が水面から簡単に乗船することでき、さらに乗員の邪魔になることがなく、加えて部品点数を減らすことができる小型水上艇を提供することにある。
【００１０】
【課題を解決するための手段】
上記目的を達成するために請求項１は、艇体上面を構成するデッキの中央に前後に延びるシートを設け、このシートの後方で、かつデッキの後端部に略水平な平坦部を設けるとともに、平坦部の前端から前方に向けて上り勾配に斜面部を形成し、斜面部の前端に、艇体の後方から手を延ばして指を掛けることのできる指掛け溝を一体形成したことを特徴とする。
【００１１】
デッキの後端部に略水平に延びる平坦部を設け、平坦部から前方に延びる斜面部の途中に指掛け溝を設けた。よって、指掛け溝を水面に比較的近い位置に設けることができる。
このように、デッキの後端部に平坦部を形成し、水面に比較的近い位置に指掛け溝を形成したので、乗員は艇体後方の水面から手を延ばして指掛け溝に簡単に指を掛けることができる。
【００１２】
さらに、乗員が指を掛けるための指掛け部を溝の形態としたので、指掛け溝をデッキから上方に突出させないようにできる。
加えて、指掛け溝を斜面部に一体形成したので、部品点数を減らすことができる。
【００１３】
請求項２は、指掛け溝の底面のレベルを前記平坦部と同一もしくは高くし、かつ指掛け溝の両端から左右側の斜め溝部を平坦部まで延長することで指掛け溝に溜まる水を平坦部まで流すように構成したことを特徴とする。
【００１４】
指掛け溝の底面のレベルを平坦部と同一もしくは高くして、指掛け溝の両端を平坦部まで延長した。よって、指掛け溝に水が侵入しても、侵入した水を指掛け溝の両端から平坦部まで流すことができ、指掛け溝からの排水を促すことができる。
【００１５】
請求項３は、斜面部と前記シートとの間にカバーを取り付け、このカバーを斜面部と略面一とするとともに、斜面部と略同じ傾斜に形成し、このカバーの下方の部位に前記デッキの下方空間へ通じる開口を設けたことを特徴とする。
【００１６】
指掛け溝より上方の部位をカバーで構成することにより、斜面部およびカバーを、平坦部からシートに向けて上り勾配で延びる連続した傾斜面とすることができる。これにより、乗員が指掛け溝に指を掛けて水面から平坦部まで身体を持ち上げた後、平坦部からカバーに沿ってシートまで身体を容易に移動させることができる。
【００１７】
また、カバーの下方にデッキの下方空間へ通じる開口を設けたので、この開口を利用することによりデッキの下方空間に配置した機器類のメンテナンスをおこなうことができる。
【００１８】
【発明の実施の形態】
本発明の実施の形態を添付図に基づいて以下に説明する。ここで、「前」、「後」、「左」、「右」は運転者から見た方向に従う。なお、図面は符号の向きに見るものとする。
図１は本発明に係る小型水上艇を示す側面図である。
小型水上艇１０は、艇体１１の前部１２に燃料タンク１３を設け、この燃料タンク１３の後方にエンジン１４を設け、このエンジン１４の後方の艇尾１５にジェット推進機室１６を設け、このジェット推進機室１６にウォータージェット推進機１７を設け、このウォータージェット推進機１７の後方にステアリングノズル１８を備え、このステアリングノズル１８を操作する操舵ハンドル１９を燃料タンク１３の上方に設け、操舵ハンドル１９の後方で、かつ艇体１１の上面を構成するデッキ２０の中央に前後に延びるシート２１を設け、シート２１の後方で、かつデッキ２０の後端部２０ａから前方に向けて略水平に延びる後平坦部（平坦部）２２を設け、この後平坦部２２の前端中央（前端）２２ａからシート２１に向けて上がり勾配の斜面部２４を設け、斜面部２４の前端部２４ａに指掛け溝２６（図２参照）を設け、指掛け溝２６とシート２１との間にカバー２７を設けたものである。
【００１９】
ウォータージェット推進機１７は、艇体１１の艇底２８に吸込口２９を形成し、この吸込口２９をジェット推進機室１６まで延ばし、ジェット推進機室１６の壁部（ステータプレート）３０に円筒状のステータ３１を設け、このステータ３１内にインペラ３２を配置し、このインペラ３２のシャフト３３に駆動シャフト３４を連結したものである。
駆動シャフト３４は、前端をエンジン１４に連結することでエンジン１４の駆動力を出力する軸である。
【００２０】
小型水上艇１０によれば、エンジン１４で駆動シャフト３４を回転することにより、シャフト３３を介してインペラ３２を回転することができる。インペラ３２が回転することにより、吸込口２９から水を吸い込んで、ステータ３１内に導くことができる。
【００２１】
導いた水をステータ３１後端のジェットノズル３５を経て、ステアリングノズル１８に導き、ステアリングノズル１８の後端から水ジェットとして後方に向けて噴射することができる。このジェット水を利用して小型水上艇１０を推進させることができる。
【００２２】
図２は本発明に係る小型水上艇の要部を示す斜視図である。
小型水上艇１０は、デッキ２０の後端部２０ａから前方に向けて後平坦部２２を略水平に延ばし、すなわちデッキ２０の後端部２０ａに略水平な後平坦部２２を設け、後平坦部２２の左端２２ｂからデッキ２０の左側縁２０ｂに沿って左平坦部３６を前方に向けて略水平に延ばし、後平坦部２２の右端２２ｃからデッキ２０の右側縁２０ｃに沿って右平坦部３７を前方に向けて略水平に延ばし、後平坦部２２の前端中央（前端）２２ａからシート２１（図１参考）に向けて上がり勾配の斜面部２４を設け、斜面部２４の前端部２４ａに指掛け溝２６を設けたものである。
【００２３】
後平坦部２２および左右の平坦部３６，３７は、それぞれの平坦幅Ｗ１を略一定に形成するとともに、それぞれの表面を面一に形成した部位である。後平坦部２２および左右の平坦部３６，３７は、乗員の移動に使用することができ、加えてコーションマークなどを貼り付ける部位としても有効利用することができる。
【００２４】
斜面部２４は、艇体１１の前方に向けて比較的緩やかな傾斜に形成し、その前端部２４ａに、デッキ２０の後端部２０ａ側に寄せて指掛け溝２６を一体成形したものである。
指掛け溝２６を比較的緩やかな傾斜の斜面部２４に形成し、さらにデッキ２０の後端部２０ａ側に寄せて設けたので、艇体１１の後方、すなわちデッキ２０の後端部２０ａから手を延ばして指掛け溝２６に指を掛けることが容易になる。
さらに、斜面部２４に指掛け溝２６を一体成形することで、部品点数を減らすことができる。さらに部品点数を減らすことで製造工程の簡素化を図ることができる。
【００２５】
指掛け溝２６は、デッキ２０の後端部２０ａと略平行に形成し、前・後の溝壁４０，４１と底面４２とで構成し、後溝壁４１に湾曲状の凹部４３を形成したものである。
指掛け溝２６は、指が掛けやすいように溝幅をＷ２に形成し、さらに後溝壁４１に湾曲状の凹部４３を形成することで、艇体１１の後方、すなわちデッキ２０の後端部２０ａから手を延ばして指掛け溝２６に指を掛けることがより一層容易になる。
【００２６】
指掛け溝２６の左端２６ａから斜面部２４の左端２４ｂに沿って後平坦部２２に向けて左側斜め溝部４５が後方に延びている。また、指掛け溝２６の右端２６ｂから斜面部２４の右端２４ｃに沿って後平坦部２２に向けて右側斜め溝部４６が後方に延びている。
【００２７】
図３は本発明に係る小型水上艇の要部を示す断面図である。
指掛け溝２６は、溝の深さをＤに形成することにより、指が掛けやすい形状を確保することができる。
また、乗員が水面から乗船するために必要とする指掛け部を溝の形態、すなわち指掛け溝２６とした。よって、指掛け溝２６を斜面部２４、すなわちデッキ２０から突出させないようにできる。このため、乗員がデッキ２０上を移動するときに指掛け溝２６が邪魔になることはない。
【００２８】
ここで、指掛け溝２６をデッキ２０の後端部２０ａ側に寄せて設けることで、指掛け溝２６とシート２１の間の間隔を比較的大きく確保することができる。
これにより、デッキ２０のうちの、指掛け溝２６とシート２１との間の部位４７にメンテナンス用の開口４８を設けることができる。
【００２９】
このメンテナンス用の開口４８は、デッキ２０の下方空間４９に臨み、この開口４８を利用することによりデッキ２０の下方空間４９の機器類（例えば、図１に示す排気系機器類５０）のメンテナンスを容易におこなうことができる。
この開口４８に蓋体５２を被せる際には、蓋体５２の前突起５３を差込部４７ａに差し込み、蓋体５２の後端５２ａをロック部材５７で保持することにより開口４８を密封し、水が開口４８からデッキ２０の下方に侵入することを防ぐことができる。
【００３０】
なお、ロック部材５７は支持部材５８で回動自在に支持され、ロック部材５７をロック位置に配置することで、蓋体５２の後端５２ａをロック部材５７で保持することができる。
一方、ロック部材５７をアンロック位置に配置することで、ロック部材５７による蓋体５２の後端５２ａの保持を解除することができる。
【００３１】
蓋体５２をカバー２７で覆うとともに、カバー２７を斜面部２４と面一に形成し、さらに斜面部２４と略同じ傾斜でシート２１に向けて延びるように形成する。
よって、斜面部２４およびカバー２７で構成する範囲Ｈを、後平坦部２２からシート２１に向けて上り勾配で延びる連続した傾斜面とすることができる。
これにより、乗員が指掛け溝２６に指を掛けて水面から後平坦部２２まで身体を持ち上げた後、後平坦部２２からカバー２７に沿ってシート２１まで身体を容易に移動させることができる。
【００３２】
カバー２７の前端２７ａに係止片（図５に示す）５４を形成し、後端２７ｂにロックボタン５５を設けている。係止片５４をデッキ２０の係止部（図示せず）に係止するとともに、ロックボタン５５をデッキ２０の係止部５６に係止することで、カバー２７をデッキ２０に取り付けて、蓋体５２を覆うことができる。
【００３３】
図２に戻って、ロックボタン５５は、カバー２７の後端２７ｂの左右にそれぞれ回転自在に取り付け、表面５５ａに凸部５５ｂを備える。
凸部５５ｂを水平に配置した際（図示の状態）には、図３に示すようにロックボタン５５の先端５５ｃをデッキ２０の係止部５６に係止させることができる。
【００３４】
一方、ロックボタン５５を９０°回転することにより、凸部５５ｂを鉛直に配置すると、図３に示すロックボタン５５の先端５５ｃとデッキ２０の係止部５６との係止を解除することができる。
【００３５】
図４は図２の４−４線断面図である。
指掛け溝２６の底面４２のレベルＨ１を後平坦部２２のレベルＨ２より高くして、右側斜め溝部４６の底面４６ａを指掛け溝２６の底面４２から後平坦部２２に向けて下り勾配に形成した。
よって、指掛け溝２６に水が侵入しても、侵入した水を指掛け溝２６から右側斜め溝部４６の底面４６ａを通して後平坦部２２まで流すことができる。
【００３６】
なお、指掛け溝２６の左側斜め溝部４５（図２参照）も、右側斜め溝部４６と同様の形状であり、指掛け溝２６に侵入した水を左側斜め溝部４５の底面４５ａを通して後平坦部２２まで流すことができる。
【００３７】
つぎに、小型水上艇１０の作用を図５〜図７に基づいて説明する。
図５は本発明に係る小型水上艇の開口を開けて艇体内の機器類をメンテナンスする例を示す説明図である。
ロックボタン５５を操作してデッキ２０からカバー２７を取り外し、ロック部材５７を矢印のように回動することで、ロック部材５７をアンロック位置に配置する。
【００３８】
この状態で、蓋体５２の前突起５３を差込部４７ａから抜き出し、蓋体５２をデッキ２０から取り外して開口４８を開けることができる。
開口４８を利用することによりデッキ２０の下方空間４９の機器類（例えば、図１に示す排気系機器類５０）のメンテナンスを手間を掛けないで短い時間でおこなうことができる。
【００３９】
図６は本発明に係る小型水上艇の指掛け溝に水が侵入した例を示す説明図である。
指掛け溝２６の底面４２のレベルＨ１（図４参照）を後平坦部２２のレベルＨ２（図４参照）より高くして、左右側の斜め溝部４５，４６の底面４５ａ，４６ａ（図４参照）をそれぞれ指掛け溝２６の底面４２から後平坦部２２に向けて下り勾配に形成した。
【００４０】
よって、指掛け溝２６に水が侵入しても、侵入した水を指掛け溝２６から左右側の斜め溝部４５，４６の底面４５ａ，４６ａを通して後平坦部２２まで矢印の如く流すことができる。
これにより、指掛け溝２６からの排水を促すことができ、指掛け溝２６に水が溜まることを防止することができる。
【００４１】
図７（ａ），（ｂ）は本発明に係る小型水上艇の指掛け溝に指を掛けて乗員の身体をデッキに持ち上げる例を示す説明図である。
（ａ）において、略水平に延びる後平坦部２２をデッキ２０の後端部２０ａに設けることができ、後平坦部２２から前方に延びる斜面部２４の前端部２４ａに指掛け溝２６を設けた。
【００４２】
このように、指掛け溝２２を後平坦部２２に寄せて形成することで、指掛け溝２２を水面６１（（ｂ）参照）に比較的近い位置に指掛け溝２６を設けることができる。
よって、乗員６０は艇体後方の水面６１から手６２を延ばして指掛け溝２６に簡単に指６３を掛けることができる。
【００４３】
（ｂ）において、指掛け溝２６に指６３を掛けた後、後平坦部２２を利用して乗員６０は水面６１から身体６４を簡単にデッキ２０に持ち上げることができる。
さらに、カバー２７を斜面部２４と面一に形成し、さらに斜面部２４と略同じ傾斜でシート２１に向けて延びるように形成した（図３参照）。よって、乗員６０が後平坦部２２まで身体６４を持ち上げた後、後平坦部２２からカバー２７に沿って身体６４をシート２１まで容易に移動させることができる。
これにより、乗員６０は比較的簡単に水面６１から小型水上艇１０に乗船することができる。
【００４４】
なお、前記実施形態では、指掛け溝２６の底面４２のレベルＨ１を後平坦部２２のレベルＨ２より高くして、左右側の斜め溝部４５，４６の底面４５ａ，４６ａをそれぞれ指掛け溝２６の底面４２から後平坦部２２に向けて下り勾配に形成した例について説明したが、これに限らないで、指掛け溝２６の底面４２のレベルを後平坦部２２のレベルと同一としてもよい。
この場合も、指掛け溝２６に侵入した水を左右側の斜め溝部４５，４６を通して後平坦部２２まで矢印の如く流すことができる。
【００４５】
また、前記実施形態では、指掛け溝２６の後溝壁４１に凹部４３を形成した例について説明したが、凹部４３を設けなくてもよい。
さらに、前記実施形態では、指掛け溝２６の左右端２６ａ，２６ｂにそれぞれ左右側の斜め溝部４５，４６を形成した例について説明したが、これに限らないで、指掛け溝２６の左右端２６ａ，２６ｂに左右側の斜め溝部４５，４６を形成しなくてもよい。
【００４６】
また、指掛け溝２６の形状を水平に延ばした例について説明したが、指掛け溝２６の形状は任意に決めることができる。
さらに、前記実施形態では、後平坦部２２および左右の平坦部３６，３７の平坦幅Ｗ１を略一定に形成した例について説明したが、後平坦部２２の平坦幅を左右の平坦部３６，３７の平坦幅と異ならせることも可能である。
【００４７】
【発明の効果】
本発明は上記構成により次の効果を発揮する。
請求項１は、デッキの後端部に略水平に延びる平坦部を設け、平坦部から前方に延びる斜面部の途中に指掛け溝を設けた。よって、指掛け溝を水面に比較的近い位置に設けることができる。
【００４８】
このように、デッキの後端部に平坦部を形成し、水面に比較的近い位置に指掛け溝を形成したので、乗員は艇体後方の水面から手を延ばして指掛け溝に簡単に指を掛けることができる。
そして、指掛け溝に指を掛けた後、デッキ後方の平坦部を利用して水面から身体をデッキに簡単に持ち上げることができる。
【００４９】
さらに、乗員が指を掛けるための指掛け部を溝の形態としたので、指掛け溝をデッキから上方に突出させないようにできる。このため、乗員がデッキ上を移動する際に指掛け溝が乗員の邪魔になることはない。
加えて、指掛け溝を斜面部に一体形成したので、部品点数を減らすことができる。さらに部品点数を減らすことで製造工程の簡素化を図ることができる。
【００５０】
請求項２は、指掛け溝の底面のレベルを平坦部と同一もしくは高くして、指掛け溝の両端を平坦部まで延長した。よって、指掛け溝に水が侵入しても、侵入した水を指掛け溝の両端から平坦部まで流すことができる。これにより、指掛け溝からの排水を促すことができ、指掛け溝に水が溜まることを防止することができる。
【００５１】
請求項３は、指掛け溝より上方の部位をカバーで構成することにより、斜面部およびカバーを、平坦部からシートに向けて上り勾配で延びる連続した傾斜面とすることができる。
これにより、乗員が指掛け溝に指を掛けて水面から平坦部まで身体を持ち上げた後、平坦部からカバーに沿ってシートまで身体を容易に移動させることができるので、乗員は水面から小型水上艇に簡単に乗船することができる。
【００５２】
また、カバーの下方にデッキの下方空間へ通じる開口を設けたので、この開口を利用することによりデッキの下方空間に配置した機器類のメンテナンスを手間を掛けないで簡単におこなうことができる。
【図面の簡単な説明】
【図１】本発明に係る小型水上艇を示す側面図
【図２】本発明に係る小型水上艇の要部を示す斜視図
【図３】本発明に係る小型水上艇の要部を示す断面図
【図４】図２の４−４線断面図
【図５】本発明に係る小型水上艇の開口を開けて艇体内の機器類をメンテナンスする例を示す説明図
【図６】本発明に係る小型水上艇の指掛け溝に水が侵入した例を示す説明図
【図７】本発明に係る小型水上艇の指掛け溝に指を掛けて乗員の身体をデッキに持ち上げる例を示す説明図
【図８】従来の小型水上艇を示す側面図
【符号の説明】
１０…小型水上艇、１１…艇体、２０…デッキ、２０ａ…デッキの後端部、２１…シート、２２…後平坦部（平坦部）、２２ａ…後平坦部の前端、２４…斜面部、２４ａ…斜面部の前端部、２６…指掛け溝、２７…カバー、４２…指掛け溝の底面、４５…左側斜め溝部、４６…右側斜め溝部、４８…開口、４９…デッキの下方空間、６２…手、６３…指。
【図１】
2004098908.tif 000003
【図２】
2004098908.tif 000004
【図３】
2004098908.tif 000005
【図４】
2004098908.tif 000006
【図５】
2004098908.tif 000007
【図６】
2004098908.tif 000008
【図７】
2004098908.tif 000009
【図８】
2004098908.tif 000010